(57)【要約】【課題】レンズユニットとメイン回路基板とを外装体に容易に組み付ける。【解決手段】レンズユニットには、引っ掛けリブ１４，  １５が設けられている。フレキシブル回路基板１２には、その一端に撮像素子が実装されており、他端に端子部１３が設けられている。メイン回路基板４には、スライド式ＺＩＦコネクタ１６及びリブ係合穴２１，  ２２が設けられている。引っ掛けリブ１４，  １５をリブ係合穴２１，  ２２にそれぞれ挿入して、レンズユニットとメイン回路基板４とを位置決めした後、スライド部１８をロック位置にスライド移動させて、端子部１３（撮像素子）をメイン回路基板４に電気接続させる。このとき、スライド部１８の両端が引っ掛けリブ１４，  １５とメイン回路基板４との隙間に入り込んで、レンズユニット３がメイン回路基板４に固定される。【選択図】        図４
2005051345.tif 000002
【特許請求の範囲】
【請求項１】
フレキシブル回路基板に実装された撮像素子が取り付けられたレンズユニットを、前記フレキシブル回路基板を電気的に接続するコネクタが実装されたメイン回路基板に取り付けるレンズユニットの取付方法において、
前記レンズユニットに設けられ、先端部分が屈曲されたリブを前記メイン回路基板に形成された開口に挿通し、前記フレキシブル基板を前記コネクタへ挿入した後、前記コネクタに設けられたスライド部をスライド移動して前記フレキシブル回路基板と前記メイン回路基板とを電気的に接続するとともに、
前記リブとメイン回路基板との隙間に前記スライド部が入り込んだ状態で、前記レンズユニットが前記メイン回路基板に保持されることを特徴とするレンズユニットの取付方法。
【請求項２】
前記リブは、前記レンズユニットに対して着脱自在に設けられていることを特徴とする請求項１記載のレンズユニットの取付方法。
【発明の詳細な説明】
【０００１】
【発明の属する技術分野】
本発明は、撮像素子が組み込まれたレンズユニットを、フレキシブル回路基板を介してメイン回路基板に取り付ける方法に関する。
【０００２】
【従来の技術】
デジタルカメラには、撮影レンズを保持するレンズ鏡筒と、ＣＣＤセンサ等の撮像素子とからなるレンズユニットが組み込まれる。このレンズユニットの背部には、カメラ本体の各部を制御するＣＰＵ等が実装されたメイン回路基板が配置されている。撮像素子はフレキシブル回路基板に実装された状態でレンズ鏡胴に取り付けられており、半田付け、或いはコネクタを介してフレキシブル回路基板の端子列をメイン回路基板の端子列に接続させることによって、撮像素子とメイン回路基板とが電気的に接続される。
【０００３】
上述したようなレンズユニット及びメイン回路基板は、デジタルカメラの外装体に組み付けられる。従来では、レンズユニットとメイン回路基板とをそれぞれ外装体に組み付けた後、撮像素子から延びたフレキシブル回路基板をメイン回路基板に接続することで組み付けが行われていた。
【０００４】
【発明が解決しようとする課題】
しかしながら、上記の組付方法では、レンズユニットとメイン回路基板とが外装体に固定されており、作業スペースが非常に狭い。さらに、カメラを小型化するためにフレキシブル回路基板はできる限り短くなっており、フレキシブル回路基板を接続するのが難しいという問題が生じていた。
【０００５】
このため、フレキシブル回路基板をメイン回路基板に接続した状態でレンズユニットとメイン回路基板とを外装体に組み込むことが考えられる。この場合、レンズユニットとメイン回路基板とがフレキシブル回路基板のみを介して接続されており、レンズユニットとメイン回路基板とのいずれかを保持して組み付けを行うと、他方が脱落したとき、フレキシブル回路基板との接続部分が外れてしまうおそれがある。従って、レンズユニットとメイン回路基板との双方を保持しながら組み付けを行う必要があり、同様に作業性が悪くなってしまう。
【０００６】
また、レンズユニットをメイン回路基板に固着することで、レンズユニットの脱落を防止することができる。しかし、製造時に生じる誤差によってレンズユニット及びメイン回路基板と外装体との位置関係にずれが生じた場合、両者を外装体に組み付けることが非常に困難になるため、レンズユニットをメイン回路基板に固着することは好ましくない。さらに、レンズユニットをメイン回路基板に固着する工程が追加されるため、デジタルカメラの製造コストが増加してしまうという問題も生ずる。
【０００７】
本発明は、撮像素子が組み込まれたレンズユニットと、メイン回路基板とを外装体に組み込む際の作業性を向上させるとともに、組立工数を削減することができるレンズユニットの取付方法を提供することを目的とする。
【０００８】
【課題を解決するための手段】
上記目的を達成するために、本発明のレンズユニットの取付方法は、レンズユニットに設けられ、先端部分が屈曲されたリブをメイン回路基板に形成された開口に挿通し、レンズユニットの撮像素子が実装されたフレキシブル基板を、メイン回路基板のコネクタへ挿入した後、前記コネクタに設けられたスライド部をスライド移動してフレキシブル回路基板とメイン回路基板とを電気的に接続するとともに、前記リブとメイン回路基板との隙間に前記スライド部が入り込んだ状態で、レンズユニットがメイン回路基板に保持されることを特徴とする。また、前記リブは、レンズユニットに対して着脱自在に設けられていることを特徴とする。
【０００９】
【発明の実施の形態】
図１の斜視図において、デジタルカメラ１は、撮像光学系を有するレンズユニット３、カメラ本体２の各部を制御するＣＰＵ等が実装されたメイン回路基板４、ＬＣＤ５、前カバー６、後カバー７等から構成されている。なお、本発明に関連しない他の構成要素については図示を省略する。
【００１０】
メイン回路基板４の端部には、４つの取付穴４ａが形成されており、それぞれが前カバー６の内周面に立設されたネジ受け突起６ａに対応する。各取付穴４ａの位置を対応するネジ受け突起６ａに合わせ、ネジ８を用いてメイン回路基板４の背面側からネジ止めすることで、メイン回路基板４が前カバー６に固定される。また、前カバー６には、３つの取付穴６ｂが形成されている。取付穴６ｂは、光軸Ｌを中心として回転対称に形成されており、それぞれがレンズユニット３に形成された係合穴（図示せず）に対応する。レンズユニット３の各係合穴の位置を前カバー６の取付穴６ｂに合わせ、前カバー６の前面側からリブ（図示せず）を挿入することで、レンズユニット３が前カバー６に固定される。
【００１１】
図２は、レンズユニット３及びメイン回路基板４の拡大図である。レンズユニット３は、レンズホルダ９、撮影レンズが組み込まれたレンズ鏡筒１０、撮影レンズの背面側に取り付けられたＣＣＤセンサ等の撮像素子１１からなる。レンズ鏡筒１０は、レンズホルダ９の中央に設けられた開口に取り付けられている。撮像素子１１は、その側面に設けられた端子列（図示せず）が半田付けされることにより、フレキシブル回路基板（ＦＰＣ）１２に実装されている。
【００１２】
フレキシブル回路基板１２は、例えば、ポリイミド（ＰＩ）フイルムから形成され、その上に回路パターンがプリントされている。フレキシブル回路基板１２の一端には、撮像素子１１が取り付けられ、他端には端子部１３が設けられている。端子部１３は、メイン回路基板４の回路パターンに接続し、撮像素子１１とメイン回路基板４とを電気的に接続させる。この際、フレキシブル回路基板１２は略１８０度屈曲され、端子部１３がメイン回路基板４の外側を回り込むようにしてメイン回路基板４の回路パターンに接続する。
【００１３】
レンズホルダ９には、メイン回路基板４側に向けて突出するように引っ掛けリブ１４，  １５が設けられている。引っ掛けリブ１４，  １５は、Ｌ型に形成され、メイン回路基板４と係合するように先端部分が屈曲されている。
【００１４】
メイン回路基板４には、フレキシブル回路基板１２と接続するためのコネクタ１６が取り付けられている。図３に、コネクタ１６の断面図を示す。コネクタ１６は、周知のスライド式ＺＩＦ（ｚｅｒｏ  ｉｎｓｅｒｔｉｏｎ  ｆｏｒｃｅ）コネクタであり、本体部１７、スライド部１８、電気接片１９、メイン回路基板４の回路パターンに接続する端子部２０等から構成されている。フレキシブル回路基板１２が取り付けられていないときは、コネクタ１６のスライド部１８が図中二点鎖線で示す開放位置にあり、電気接片１９の先端１９ａの図中下方に隙間が形成される。フレキシブル回路基板１２の端子部１３をこの隙間の内部に挿入し、スライド部１８を本体部１７に向けてスライド移動すると、端子部１３がスライド部１８によって図中上方に移動する。スライド部１８が本体部１７の内部に最も深く入り込むロック位置に移動すると、スライド部１８と電気接片１９の先端１９ａによって端子部１３が挟み付けられる。これにより、フレキシブル回路基板１２が電気接片１９を介してメイン回路基板４に電気的に接続される。
【００１５】
図２において、メイン回路基板４には、引っ掛けリブ１４，  １５を挿通するためのリブ係合穴２１，  ２２が設けられている。リブ係合穴２１，  ２２は、レンズホルダ９の引っ掛けリブ１４，  １５が挿通可能な大きさに形成され、コネクタ１６の両側に、且つ、ロック位置にあるスライド部１８の下部に形成されている。リブ係合穴２１，  ２２に引っ掛けリブ１４，  １５がそれぞれ挿入されることによって、メイン回路基板４にレンズユニット３が位置決めされる。このように位置決めした状態でコネクタ１６のスライド部１８がロック位置へ移動すると、スライド部１８の両端が引っ掛けリブ１４，  １５とメイン回路基板４とのそれぞれの間に挿入される。これにより、レンズユニット３がメイン回路基板４に保持される。
【００１６】
次に、図４及び図５を参照して、デジタルカメラ１の組立方法について説明する。まず、図４（ａ）に示すように、レンズホルダ９の引っ掛けリブ１４，  １５をメイン回路基板４のリブ係合穴２１，  ２２にそれぞれ挿入して、レンズユニット３とメイン回路基板４とを位置決めする。そして、フレキシブル回路基板１２の端子部１３を挿入口２３を介してコネクタ１６の内部へ挿入する。次に、図４（ｂ）に示すように、スライド部１８を開放位置からロック位置へスライド移動する。このとき、フレキシブル回路基板１２の端子部１３がコネクタ１６の電子接片１９の先端１９ａに接触してフレキシブル回路基板１２がメイン回路基板４に電気的に接続されるとともに、スライド部１８の両端が引っ掛けリブ１４，  １５とメイン回路基板４とのそれぞれの間に挿入され、レンズユニット３がメイン回路基板４に保持される。（図５参照）
【００１７】
レンズユニット３を保持したメイン回路基板４は、前カバー６に組み付けられる。レンズユニット３は、メイン回路基板４に固着されていないため、前カバー６との位置関係に多少のずれが生じていても、レンズユニット３の位置に対してメイン回路基板４をずらすことで前カバー６への組み付けを容易に行うことができる。ＬＣＤ５は後カバー７に組み付けられた状態でメイン回路基板４に接続された後、前カバー６に後カバー７が取り付けられてデジタルカメラ１の組立が完了する。
【００１８】
上述したように、レンズユニット３の引っ掛けリブ１４，  １５をメイン回路基板４のリブ係合穴２１，  ２２にそれぞれ挿通した後、コネクタ１６を介してフレキシブル回路基板１２とメイン回路基板４とを接続することによって、レンズユニット３がメイン回路基板４に保持され、且つ、電気的に接続されるから、レンズユニット３とメイン回路基板４とを前カバー６に組み込む際の作業性を向上させるとともに、組立工数を削減することができる。
【００１９】
上記実施形態では、引っ掛けリブ１４，  １５をレンズホルダ９に設けたが、メイン回路基板４を固定可能であれば、レンズユニット３のいずれの位置に設けても良い。また、引っ掛けリブの位置に応じてメイン回路基板のリブ係合穴、及びコネクタの位置は適宜とする。
【００２０】
また、引っ掛けリブ１４，  １５を着脱自在に設けても良い。レンズユニット３とメイン回路基板４とを前カバー６に固定した後、引っ掛けリブ１４，  １５をレンズユニット３から取り外すことで、引っ掛けリブ１４，  １５のスペースを有効利用することができる。また、修理のためにレンズユニット３をメイン回路基板４から取り外したときは、引っ掛けリブ１４，  １５を再びレンズユニット３に取り付けることで、レンズユニット３とメイン回路基板４とを前カバー６に容易に組み付けることができる。
【００２１】
上記実施形態では、取付穴４ａとネジ受け突起６ａとが４つずつ形成されているが、その数は４つに限定されず、５つ以上または３つ以下であっても良い。また、取付穴６ｂの数や位置についても限定されることはない。さらに、上記実施形態では、ネジ止め及びリブ挿入により、レンズユニット３、メイン回路基板４をそれぞれ前カバー６に固定しているが、これらの一方、或いは双方を後カバー５に取り付けても良い。また、レンズユニット３を保持したメイン回路基板４を前カバー６に固定後、レンズユニット３とメイン回路基板４とをネジ等で固定しても良い。
【００２２】
【発明の効果】
以上のように、本発明によれば、レンズユニットに設けられ、先端部分が屈曲されたリブをメイン回路基板に形成された開口に挿通し、レンズユニットの撮像素子が実装されたフレキシブル基板を、メイン回路基板のコネクタへ挿入した後、前記コネクタに設けられたスライド部をスライド移動してフレキシブル回路基板とメイン回路基板とを電気的に接続するとともに、前記リブとメイン回路基板との隙間に前記スライド部が入り込んだ状態で、レンズユニットがメイン回路基板に保持されるから、レンズユニットとメイン回路基板とを外装体に組み込む際の作業性を向上させるとともに、組立工数を削減することができる。
【図面の簡単な説明】
【図１】本発明を実施したデジタルカメラの分解斜視図である。
【図２】レンズユニット及びメイン回路基板の拡大斜視図である。
【図３】コネクタの構造を説明する断面図である。
【図４】フレキシブル回路基板とメイン回路基板との接続方法を示す説明図である。
【図５】レンズユニットを取り付けたメイン回路基板を示す斜視図である。
【符号の説明】
１  デジタルカメラ
３  レンズユニット
４  メイン回路基板
１１  撮像素子
１２  フレキシブル回路基板
１３  端子部
１４，  １５  引っ掛けリブ
１６  コネクタ
１８  スライド部
２１，  ２２  リブ係合穴
【図１】
2005051345.tif 000003
【図２】
2005051345.tif 000004
【図３】
2005051345.tif 000005
【図４】
2005051345.tif 000006
【図５】
2005051345.tif 000007